(57)【要約】【課題】可搬型記憶手段へのデータの格納中に、そのデータの処理に関連した情報を使用者に報知する。【解決手段】画像処理装置は、記憶媒体１００に対してデータを送信するデータ入出力Ｉ／Ｆ２３と、データを処理することに対して課金のための必要な処理をする課金装置２２及び課金処理部４４と、データ入出力Ｉ／Ｆ２３を介して記憶媒体１００に課金のための必要な処理の対象のデータを格納する記憶処理部４５と、記憶処理部４５による記憶媒体１００へのデータの格納の開始から終了までの何れかの期間に、課金装置２２及び課金処理部４４の課金処理状況を報知する表示部２１ａと、を備える。【選択図】図１
2011205201.tif 000002
【特許請求の範囲】
【請求項１】
可搬型記憶手段に対してデータを送信する送信手段と、
データを処理することに対して課金のための必要な処理をする課金処理手段と、
前記送信手段を介して前記可搬型記憶手段に前記課金する対象のデータを格納する格納手段と、
前記格納手段による前記可搬型記憶手段への前記データの格納の開始から終了までの何れかの期間に、前記課金処理手段の課金のための必要な処理の状況を報知する報知手段と、
を備える処理装置。
【請求項２】
前記課金処理手段は、前記格納手段による前記可搬型記憶手段への前記データの格納の処理と並行して、前記課金のための必要な処理を行う請求項１に記載の処理装置。
【請求項３】
可搬型記憶手段に対してデータを送信する送信手段と、
データを処理することに対して課金のための必要な処理をする課金処理手段と、
前記送信手段を介して前記可搬型記憶手段に前記課金する対象のデータを格納する格納手段と、
前記格納手段による前記可搬型記憶手段への前記データの格納の開始から終了までの何れかの期間、前記課金処理手段の課金のための必要な処理の状況を報知する報知手段と、
をコンピュータに実行させるコンピュータに読取可能な制御プログラム。
【発明の詳細な説明】
【技術分野】
【０００１】
本発明は、処理装置及び制御プログラムである。
【背景技術】
【０００２】
特許文献１には、着脱可能な記憶媒体に記憶されている読み取り制御情報に基づいて、原稿画像の読み取りを行い、記憶媒体に原稿画像の画像データを記憶するディジタル複写機が開示されている。
【先行技術文献】
【特許文献】
【０００３】
【特許文献１】特開２００４−７２７６２号公報
【発明の概要】
【発明が解決しようとする課題】
【０００４】
本発明の目的は、可搬型記憶手段へのデータの格納中に、そのデータの処理に関連した情報を使用者に報知することである。
【課題を解決するための手段】
【０００５】
請求項１に係る発明は、可搬型記憶手段に対してデータを送信する送信手段と、データを処理することに対して課金のための必要な処理をする課金処理手段と、前記送信手段を介して前記可搬型記憶手段に前記課金する対象のデータを格納する格納手段と、前記格納手段による前記可搬型記憶手段への前記データの格納の開始から終了までの何れかの期間、前記課金処理手段の課金のための必要な処理の状況を報知する報知手段と、を備える処理装置である。
【０００６】
請求項２に係る発明は、請求項１の記載において、前記課金処理手段は、前記格納手段による前記可搬型記憶手段への前記データの格納の処理と並行して、前記課金のための必要な処理を行う処理装置である。
【０００７】
請求項３に係る発明は、可搬型記憶手段に対してデータを送信する送信手段と、データを処理することに対して課金のための必要な処理をする課金処理手段と、前記送信手段を介して前記可搬型記憶手段に前記課金する対象のデータを格納する格納手段と、前記格納手段による前記可搬型記憶手段への前記データの格納の開始から終了までの何れかの期間、前記課金処理手段の課金のための必要な処理の状況を報知する報知手段と、をコンピュータに実行させるコンピュータに読取可能な制御プログラムである。
【発明の効果】
【０００８】
請求項１、３に係る発明によれば、可搬型記憶手段へのデータの格納中に、そのデータの処理に関連した情報を使用者に報知することができる。
請求項２に係る発明は、可搬型記憶手段へのデータの格納の処理と、課金のための必要な処理とを行う場合でも、それらの処理を別々の時間で行う場合と比較して、全体の処理時間を短くできる。
【図面の簡単な説明】
【０００９】
【図１】本実施形態の画像処理装置の構成を示す図である。
【図２】画像処理装置の処理を示すフローチャートである。
【図３】画像処理装置におけるＵＳＢメモリの特性の判定処理を示すフローチャートである。
【図４】画像処理装置における課金処理と記録処理との処理順序を決定する動作判定の処理を示すフローチャートである。
【図５】比較例の処理を示すフローチャートである。
【発明を実施するための形態】
【００１０】
本実施形態は、本発明を適用した画像処理装置である。
図１は、その画像処理装置１の概略構成図である。
図１に示すように、画像処理装置１は、画像出力装置１０、操作パネル２１、課金装置２２、データ入出力Ｉ／Ｆ２３、及び制御装置３０を有する。
【００１１】
画像出力装置１０は、原稿から画像を読み取り、読み取って得た画像データを基に印刷媒体に画像形成をする。そのため、図１に示すように、画像出力装置１０は、読取装置１１、制御部１２、及び画像出力部１３を有する。このような構成の画像出力装置１０では、制御部１２の制御により、読取装置１１が原稿から画像を読み取り、画像出力部１２が、読取装置１１が読み取って得た画像データを基に、印刷媒体に画像形成をする。
【００１２】
データ入出力Ｉ／Ｆ２３は、各種の記憶媒体に対するデータの送受信を行うように構成されている。具体的には、データ入出力Ｉ／Ｆ２３は、各種の記憶媒体１００が着脱自在とされる構造となっており、装着された各種の記憶媒体１００に対するデータの送受信を行う。
ここで、記憶媒体１００として、ＵＳＢメモリ、ＣＤ−ＲＯＭ、フロッピー（登録商標）ディスク、ＭＯ、スマートメディア、コンパクトフラッシュ（登録商標）、メモリースティック、マイクロドライブ、ＳＤカード等が挙げられる。
【００１３】
課金装置２２は、画像読取装置１１における処理に対して課金処理を行う。ここで、画像読取装置１１において課金処理の対象となる処理としては、画像出力装置１０において原稿を読み取り印刷媒体に画像形成をする処理や、読取装置１１により読み取って得た画像データを記憶媒体１００に記憶する処理、記憶媒体１００に記憶されている画像データを基に印刷媒体に画像形成をする処理等である。例えば、課金装置２２は、紙幣や硬貨、クレジットカード等による決済により課金処理を行うことができるように構成されている。
【００１４】
操作パネル２１は、使用者に通知する内容を表示する表示部２１ａと使用者の指示内容が入力される入力部とを一体として有する。
制御部１２は、画像出力装置１０、課金装置２２、データ入出力Ｉ／Ｆ２３、及び操作パネル２１等の画像処理装置１の各構成部を制御する。そのため、制御装置３０は、演算処理部４０、記憶部３１、及びＨＤＤ（Hard Disk Drive）３２を有する。演算処理部４０は、画像処理装置１における各種の処理を行う。記憶部３１には、画像処理装置１で用いるプログラム３１ａやデータが記憶されている。
【００１５】
ここで、プログラム３１ａは、画像処理装置１の出荷時当初から記憶部３１に記憶さされているものとすることもできるが、出荷後に使用者等の作業によりＣＤ−ＲＯＭ等の記憶媒体から読み込まれて記憶部３１に記憶されたものとすることもできる。
ＨＤＤ３２には、各種のデータが記憶される。例えば、ＨＤＤ３２には、画像出力装置１０（読取装置１１）が原稿を読み取って得た読取画像データや、データ入出力Ｉ／Ｆ２３に装着された記憶媒体１００から取得した画像データが記憶される。
【００１６】
ここで、このような画像処理装置１における通常の処理として、読取装置１１で原稿を読み取り、その読み取って得た読取画像データを記憶媒体１００に格納する処理を説明する。
このような処理では、画像処理装置１では、ＨＤＤ３２等に一時的に記憶した読取画像データを、該装置１に装着されている使用者の記憶媒体１００に記憶することになる。しかし、使用者が、読取画像データを記憶処理（格納処理）している最中にその記憶媒体１００を装置１から取り外してしまう場合がある。この場合、記憶処理中の読取画像データや記憶媒体１００が破壊されてしまう場合がある。
【００１７】
特に、読取画像データの容量が大きい場合には、その記憶処理の時間が長くなるため、その記憶処理中に記憶媒体１００が取り外される可能性もより高くなる。
これに対して、本実施形態では、使用者が読取画像データを記憶処理している最中に記憶媒体を装置から取り外してしまうのを防止できるようになっている。
以下にそれを実現する本実施形態の構成等を説明する。
【００１８】
本実施形態では、図１に示すように、演算処理部４０は、画像読取処理部４１、記憶媒体特性検出部４２、動作処理部４３、課金処理部４４、及び記憶処理部４５を有する。
また、図２は、画像処理装置１の処理を示すフローチャートである。この図２の処理に沿って、図１に示す演算処理部４０の各構成部の処理を説明する。
【００１９】
図２に示すように、先ずステップＳ１１において、画像読取処理部４１は、操作パネル２１からの入力情報を基に、使用者が読取処理（スキャンサービス）を開始する操作をしたか否かを判定する。画像読取処理部４１は、読取処理を開始する操作がされたと判定したとき、ステップＳ１２に進む。
【００２０】
ステップＳ１２では、画像読取処理部４１は、操作パネル２１の表示部２１ａに、記憶媒体が装着可能である表示をするとともに、データ入出力Ｉ／Ｆ２３に記憶媒体が装着されたか否かを判定する。画像読取処理部４１は、データ入出力Ｉ／Ｆ２３に記憶媒体１００、例えばＵＳＢメモリが装着されたと判定すると、ステップＳ１３に進む。
ステップＳ１３では、記憶媒体特性検出部４２は、データ入出力Ｉ／Ｆ２３に装着された記憶媒体１００の特性（特に記憶速度）を検出する。
【００２１】
図３は、前記ステップＳ１３の処理となるサブルーチンのフローチャートである。ここで、記憶媒体１００の例をＵＳＢメモリとして説明する。
図３に示すように、記憶媒体特性検出部４２は、先ずステップＳ５１において、記憶媒体特性検出部４２は、ＵＳＢメモリがロースピードのものか否かを判定する。記憶媒体特性検出部４２は、ＵＳＢメモリがロースピードのものであると判定すると、ステップＳ５５に進む。また、記憶媒体特性検出部４２は、ＵＳＢメモリがロースピードのものでないと判定すると、ステップＳ５２に進む。
【００２２】
ステップＳ５５では、記憶媒体特性検出部４２は、データ入出力Ｉ／Ｆ２３に装着されたＵＳＢメモリがロースピードのものとの判定結果を得る。そして、記憶媒体特性検出部４２は、該図３に示す処理を終了する。
【００２３】
ステップＳ５２では、記憶媒体特性検出部４２は、ＵＳＢメモリがフルスピードのものか否かを判定する。記憶媒体特性検出部４２は、ＵＳＢメモリがフルスピードのものであると判定すると、ステップＳ５４に進む。また、記憶媒体特性検出部４２は、ＵＳＢメモリがフルスピードのものでないと判定すると、すなわち、ＵＳＢメモリがハイスピードのタイプのとき、ステップＳ５３に進む。
【００２４】
ステップＳ５４では、記憶媒体特性検出部４２は、データ入出力Ｉ／Ｆ２３に装着されたＵＳＢメモリがフルスピードのものとの判定結果を得る。そして、記憶媒体特性検出部４２は、該図３に示す処理を終了する。
ステップＳ５３では、記憶媒体特性検出部４２は、データ入出力Ｉ／Ｆ２３に装着されたＵＳＢメモリがハイスピードのものとの判定結果を得る。そして、記憶媒体特性検出部４２は、該図３に示す処理を終了する。
【００２５】
ここで、ＵＳＢメモリの規格には、ロースピード（ＬＳモード）１．５Ｍbps、フルスピード（ＦＳモード）１２Mbps、及びハイスピード（ＨＳモード）４８０Ｍbpsといった規格がある。フルスピード及びハイスピードは、ＵＳＢメモリ装着後に、デバイスChirpといったＵＳＢの規格で定められているChirp handshakeにより認識することができる。また、ロースピードは、伝送路線上のプルアップ抵抗の位置確認にて判断できる。これらの技術を用いて、データ入出力Ｉ／Ｆ２３に装着されたＵＳＢメモリの特性を判定することができる。
【００２６】
続くステップＳ１４において、画像読取処理部４１は、操作パネル２１からの入力情報を基に、使用者が読取のための設定を完了したか否かを判定する。例えば、設定できる情報としては、カラーモード、読取原稿サイズ、文字・写真・地図等の原稿の種類、画質（解像度）等の情報がある。画像読取処理部４１は、読取設定が完了したと判定したとき、ステップＳ１５に進む。
【００２７】
ステップＳ１５では、画像読取処理部４１は、操作パネル２１からの入力情報を基に、使用者が読み取り開始の操作をしたか否かを判定する。画像読取処理部４１は、読み取り開始の操作がされた判定したとき、ステップＳ１６に進む。
ステップＳ１６では、画像読取処理部４１は、画像出力装置１０の制御部１２に読取指令出力して、読取装置１１に原稿の読み取りを実行させる。
【００２８】
続くステップＳ１７において、画像読取処理部４１は、読取装置１１が読み取って得た読取画像データをＨＤＤ３２に記憶する。
続くステップＳ１８において、画像読取処理部４１は、読取装置１１が読み取った画像を操作パネル２１の表示部２１ａに表示する。
続くステップＳ１９において、画像読取処理部４１は、操作パネル２１からの入力情報を基に、使用者が画像の決定操作（確定操作、選択操作）をしたか否かを判定する。画像読取処理部４１は、決定操作がされたと判定すると、ステップＳ２０に進む。また、画像読取処理部４１は、決定操作がされないと判定すると、すなわち、使用者が読み取った画像を取り消したとき、前記ステップＳ１４から再び処理を開始する。
【００２９】
ステップＳ２０では、画像読取処理部４１は、操作パネル２１からの入力情報を基に、使用者が読取処理を終了する操作をしたか否かを判定する。画像読取処理部４１は、読取処理を終了する操作がされたと判定すると、ステップＳ２１に進む。また、画像読取処理部４１は、読取処理を終了する操作がされないと判定すると、すなわち、使用者が他の原稿を読み取るようなとき、前記ステップＳ１４から再び処理を開始する。
【００３０】
ステップＳ２１では、動作処理部４３は、前記ステップＳ１７でＨＤＤ３２に記憶された読取画像データのファイル容量（データサイズ）を検出する。ここで、ファイル容量の検出対象となる読取画像データは、前記ステップＳ１９において決定された（確定又は選択された）ものである。
続くステップＳ２２において、動作処理部４３は、課金処理と記憶処理の動作順序を決定するための動作判定をする。
【００３１】
図４は、前記ステップＳ２２の処理を示すサブルーチンのフローチャートを示す。ここで、記憶媒体１００の例をＵＳＢメモリとして説明する。
図４に示すように、先ずステップＳ７１において、動作処理部４３は、前記ステップＳ１３の判定結果に基づく判定をする。具体的には、動作処理部４３は、ＵＳＢメモリがハイスピード、フルスピード、又はロースピードの何れかを判定する。動作処理部４３は、ＵＳＢメモリがハイスピードのものと判定すると、ステップＳ７２に進む。また、動作処理部４３は、ＵＳＢメモリがフルスピードのものと判定すると、ステップＳ７３に進む。また、動作処理部４３は、ＵＳＢメモリがロースピードのものと判定すると、ステップＳ７４に進む。
【００３２】
ステップＳ７２では、動作処理部４３は、前記ステップＳ２１で検出したファイル容量が予め設定された第１設定値、例えば３００ＭＢ以上か否かを判定する。動作処理部４３は、ファイル容量が３００ＭＢ以上の場合（ファイル容量≧３００ＭＢ）、ステップＳ７６に進む。また、動作処理部４３は、そうでない場合（ファイル容量＜３００ＭＢ）、ステップＳ７５に進む。
【００３３】
ステップＳ７３では、動作処理部４３は、前記ステップＳ２１で検出したファイル容量が予め設定された第２設定値（＜第１設定値）、例えば７．５ＭＢ以上か否かを判定する。動作処理部４３は、ファイル容量が７．５ＭＢ以上の場合（ファイル容量≧７．５ＭＢ）、ステップＳ７６に進む。また、動作処理部４３は、そうでない場合（ファイル容量＜７．５ＭＢ）、ステップＳ７５に進む。
【００３４】
ステップＳ７４では、動作処理部４３は、前記ステップＳ２１で検出したファイル容量が予め設定された第３設定値（＜第２設定値）、例えば１ＭＢ以上か否かを判定する。動作処理部４３は、ファイル容量が１ＭＢ以上の場合（ファイル容量≧１ＭＢ）、ステップＳ７６に進む。また、動作処理部４３は、そうでない場合（ファイル容量＜１ＭＢ）、ステップＳ７５に進む。
【００３５】
ステップＳ７５では、動作処理部４３は、通常動作をすることに決定する。すなわち、動作処理部４３は、課金処理の決済後に記憶処理を開始する動作をする決定をする。そして、動作処理部４３は、該図４（ステップＳ２２）の処理を終了する。そして、図２のステップＳ２３に進む。
【００３６】
ステップＳ７６では、動作処理部４３は、並列動作（並行動作）をすることに決定する。すなわち、動作処理部４３は、課金処理と記憶処理とを並行して動作する決定をする。そして、動作処理部４３は、該図４（ステップＳ２２）の処理を終了する。そして、図２のステップＳ２３に進む。
【００３７】
ステップＳ２３では、演算処理部４０は、前記ステップＳ２２の動作判定結果が並列動作の決定か否かを判定する。演算処理部４０は、並列動作の決定であると判定すると、ステップＳ３５及びステップＳ３９に進む（ステップＳ３５からの処理とステップＳ３９からの処理とを並行して行う）。また、演算処理部４０は、並列動作の決定でないと判定すると、すなわち、通常動作の決定であるとき、ステップＳ２４に進む。
【００３８】
ステップＳ２４では、課金処理部４４は、課金処理を開始して、操作パネル２１の表示部２１ａに入金すべき金額を表示する。また、課金処理部４４は、操作パネル２１の表示部２１ａに、課金処理中である内容を示す表示をする。なお、この課金処理部４４と課金装置２２とは、課金のための必要な処理をするように構成されている。
続くステップＳ２５において、課金処理部４４は、課金装置２２に入金があったか否かを判定する。演算処理部４０は、入金があったと判定したとき、ステップＳ２６に進む。
【００３９】
ステップＳ２６では、課金処理部４４（又は課金装置２２）は、入金された金額（課金金額）による決済を行う。
続くステップＳ２７において、課金処理部４４は、操作パネル２１の表示部２１ａを決済状況に応じた表示にする。例えば、課金処理部４４は、予め金銭（余裕を持った金銭）が課金装置２２に入れられているような場合には、その金銭から課金金額を減算した金額に変更する表示をする。
【００４０】
続くステップＳ２８において、記憶処理部４５は、操作パネル２１の表示部２１ａに記憶開始のボタンを操作可能に表示する。
続くステップＳ２９において、記憶処理部４５は、操作パネル２１からの入力情報を基に、使用者が記憶開始ボタンを操作したか否かを判定する。記憶処理部４５は、記憶開始ボタンが操作されたと判定したとき、ステップＳ３０に進む。
【００４１】
ステップＳ３０では、記憶処理部４５は、前記ステップＳ１７でＨＤＤ３２に記憶した読取画像データをデータ入出力Ｉ／Ｆ２３に装着されている記憶媒体１００に記憶する処理（データ格納処理）を行う。ここで、記憶する対象となる読取画像データは、前記ステップＳ１９において決定されたものである。
【００４２】
続くステップＳ３１において、記憶処理部４５は、記憶媒体１００への読取画像データの記憶処理（格納処理）が終了したか否かを判定する。記憶処理部４５は、記憶媒体１００への読取画像データの記憶処理が終了したと判定したとき、ステップＳ３２に進む。
【００４３】
続くステップＳ３２において、課金処理部４４は、課金処理に係る表示を終了する。具体的には、課金処理部４４は、前記ステップＳ２４で開始した操作パネル２１の表示部２１ａへの課金処理中の表示を終了する。
続くステップＳ３３において、記憶処理部４５は、操作パネル２１の表示部２１ａに、画像処理装置１に装着されている記憶媒体１００の取り外しが可能である表示をする。
【００４４】
続くステップＳ３４において、記憶処理部４５は、記憶媒体１００がデータ入出力Ｉ／Ｆ２３から取り外されたか否かを判定する。記憶処理部４５は、記憶媒体１００がデータ入出力Ｉ／Ｆ２３から取り外されたと判定したとき、該図２に示す処理を終了する。
一方、ステップＳ３５以降では、課金処理部４４が課金処理を開始する。その処理と並行して、ステップＳ３９以降で、記憶処理部４５が記憶処理を開始する。例えば、課金処理及び記憶処理それぞれの処理時間を切り分けて、並行して処理を行う。
【００４５】
具体的には、先ずステップＳ３５において、課金処理部４４は、前記ステップＳ２４の処理と同様に、課金処理として、操作パネル２１の表示部２１ａに入金すべき金額を表示する。また、課金処理部４４は、操作パネル２１の表示部２１ａに課金処理中の表示をする。
続くステップＳ３６において、課金処理部４４は、前記ステップＳ２５の処理と同様に、入金があったか否かを判定する。課金処理部４４は、入金があったと判定したとき、ステップＳ３７に進む。
【００４６】
ステップＳ３７では、課金処理部４４（又は課金装置２２）は、前記ステップＳ２６の処理と同様に、入金された金額による決済を行う。
続くステップＳ３８において、課金処理部４４は、前記ステップＳ２７の処理と同様に、操作パネル２１の表示部２１ａを決済状況に応じた表示にする。
一方、ステップＳ３９以降では、記憶処理部４５は、ステップＳ３５と並行して記憶処理を開始する。
【００４７】
すなわち、ステップＳ３９では、記憶処理部４５は、前記ステップＳ３０の処理と同様に、前記ステップＳ１７でＨＤＤ３２に記憶した読取画像データを記憶媒体１００に記憶する処理を行う。
続くステップＳ４０において、記憶処理部４５は、前記ステップＳ３１の処理と同様に、記憶媒体１００への読取画像データの記憶処理が終了したか否かを判定する。記憶処理部４５は、記憶媒体１００への読取画像データの記憶処理が終了したと判定したとき、ステップＳ４１に進む。
【００４８】
ステップＳ４１では、動作処理部４３は、課金処理（決済）が完了し、かつ記憶処理が完了したか否かを判定する。演算処理部４０は、課金処理が完了し、かつ記憶処理が完了したと判定したとき、ステップＳ４２に進む。
続くステップＳ４２において、動作処理部４３は、前記ステップＳ３２の処理と同様に、課金処理に係る表示を終了する。そして、演算処理部４０は、前記ステップＳ３３に進む。
【００４９】
画像処理装置１は以上のように構成されており、この画像処理装置１の動作等は次のようになる。
画像処理装置１は、操作パネル２１に対して読取処理を開始する操作が使用者によりなされると、操作パネル２１の表示部２１ａに記憶媒体（例えばＵＳＢメモリ）が装着可能である表示をして記憶媒体の装着待ち状態に入る（ステップＳ１１、ステップＳ１２）。そして、画像処理装置１は、データ入出力Ｉ／Ｆ２３に記憶媒体１００が装着されると、その記憶媒体１００の特性（特に記憶速度、書込み速度）を検出する（ステップＳ１２、ステップＳ１３、図３参照）。
【００５０】
その一方で、画像処理装置１は、操作パネル２１から読取条件の設定がなされ、操作パネル２１に対して読み取り開始の操作が使用者によりなされると、読取装置１１により原稿を読み取って、その読取画像データをＨＤＤ３２に記憶する（ステップＳ１４乃至ステップＳ１７）。そして、画像処理装置１は、読み取った画像を使用者が確認できるように操作パネル２１の表示部２１ａに表示する（ステップＳ１８）。これに対して、使用者が希望通りの画像が得られたことで、画像の決定操作がなされ、操作パネル２１に対して読取処理を終了する操作が使用者によりなされると、画像処理装置１は読取処理を終了する（ステップＳ１９、ステップＳ２０）。
【００５１】
以上の原稿の読み取り、ＨＤＤ３２への読取画像データの記憶、読取画像の表示、及び画像の決定操作は、使用者が読取処理を終了する操作がなされるまで続けられる。例えば、読取対象の原稿が複数有るような場合には、使用者が読取処理を終了する操作（ステップＳ２０）をするまで続けられる。
【００５２】
画像処理装置１は、読取処理を終了すると、使用者が決定した（選んだ）画像の総ファイル容量及び記憶媒体１００の特性に基づいて、通常動作又は並列動作の決定をする（ステップＳ２１、ステップＳ２２）。ここで、画像処理装置１は、ファイル容量が、記憶媒体１００の記憶速度又は書込み速度に対応して予め設定した設定値（第１設定値、第２設定値、第３設定値）よりも小さいときには、通常動作をする決定をし、そうでない場合には、記憶媒体１００へのデータの記憶処理時間（格納時間）が長くなるとして、並列動作をする決定をする（ステップＳ２３）。
【００５３】
通常動作では、画像処理装置１は、先ず課金処理を開始して、入金すべき金額と課金処理中である内容とを操作パネル２１の表示部２１ａに表示する（ステップＳ２４）。これにより、画像処理装置１は、使用者に入金を促す。そして、画像処理装置１は、入金があったとき決済を行う（ステップＳ２５乃至ステップＳ２７）。
【００５４】
その後、画像処理装置１は、操作パネル２１の表示部２１ａに記憶開始ボタンを表示し、記憶開始ボタンが使用者により操作されたとき、ＨＤＤ３２に一時的に記憶されている読取画像データを記憶媒体１００に記憶する処理を開始する（ステップＳ２８乃至ステップＳ３０）。そして、画像処理装置１は、その記憶処理を終了したとき、先に操作パネル２１の表示部２１ａにした課金処理中の表示を終了し、その後、操作パネル２１の表示部２１ａに、記憶媒体１００の取り出しが可能である表示をする（ステップＳ３２、ステップＳ３３）。
【００５５】
そして、画像処理装置１は、データ入出力Ｉ／Ｆ２３から記憶媒体１００が取り外されたとき、全ての処理を終了する（ステップＳ３４）。
一方、並列動作では、画像処理装置１は、課金処理と記憶処理とを並列に行う。すなわち、画像処理装置１は、課金処理として、入金すべき金額と課金処理中である内容とを操作パネル２１の表示部２１ａに表示し、入金があったときに決済を行う（ステップＳ３５乃至ステップＳ３８）。
【００５６】
このような課金処理に並行して、画像処理装置１は、ＨＤＤ３２に一時的に記憶されている読取画像データを記憶媒体１００に記憶する処理を開始する（ステップＳ３９）。
そして、画像処理装置１は、課金処理が完了し、かつ記憶処理が完了したときに、先に操作パネル２１の表示部２１ａにした課金処理中の表示を終了し、その後、操作パネル２１の表示部２１ａに、記憶媒体１００の取り出しが可能である表示をする（ステップＳ４２、ステップＳ３２、ステップＳ３３）。
【００５７】
そして、画像処理装置１は、データ入出力Ｉ／Ｆ２３から記憶媒体１００が取り外されたとき、処理を終了する（ステップＳ３４）。
以上のように、本実施形態では、画像処理装置１は、データ入出力Ｉ／Ｆ２３に装着された記憶媒体１００（例えばＵＳＢメモリ）に課金対象の読取画像データを記憶する際、その記憶処理中から記憶処理が終了するまでの間、課金処理の課金処理状況（入金や決済の状況に応じた変化等）を操作パネル２１の表示部２１ａに表示している（ステップＳ２４乃至ステップＳ３２、ステップＳ３５乃至ステップＳ４２）。
【００５８】
これにより、画像処理装置１は、記憶媒体１００への読取画像データの記憶処理が済むまで、その読取画像データの処理に関連した情報である課金処理に関する情報を使用者に報知することができる。
この結果、課金処理に関する情報が使用者にとって有意な情報であるため、使用者の意識をその情報に向けることができ、使用者が、読取画像データを記憶処理中の記憶媒体１００を、データ入出力Ｉ／Ｆ２３から取り外してしまうのを防止できる。
【００５９】
また、本実施形態では、画像処理装置１は、記憶処理と課金処理とを行う場合でも、それら処理を並行して行っており（ステップＳ２３で"Ｙｅｓ"の場合の処理）、それら処理を別々の時間で行う場合と比較して、全体の処理時間を短くできる。
このように全体の処理時間が短くなる結果、その処理期間中に使用者がデータ入出力Ｉ／Ｆ２３から記憶媒体１００を取り外してしまう可能性を低くすることができる。
【００６０】
図５は、本実施形態に対する比較例の画像処理装置の処理を示すフローチャートである。
図５に示すように、記憶開始ボタンが使用者に操作された後ＨＤＤ３２に一時的に記憶されている読取画像データを記憶媒体１００に記憶する処理を開始する処理（ステップS２８乃至ステップS３０）では、使用者が、記憶処理中の記憶媒体を取り外してしまう恐れがある。
【００６１】
これに対して、本実施形態の画像処理装置１は、使用者の意識を課金処理の情報に向けることができるため、記憶処理中の記憶媒体１００を使用者が取り外してしまうのを防止できる。
なお、実施形態では、送信手段としてデータ入出力Ｉ／Ｆ２３を用いている。また、課金処理手段として課金装置２２及び課金処理部４４を用いている。また、格納手段として記憶処理部４５を用いている。また、報知手段として表示部２１ａを用いている。
【００６２】
また、本実施形態の変形例として次のようなものが挙げられる。
本実施形態では、画像処理装置１がデータを記憶する対象をＵＳＢメモリとしている。しかし、本実施形態では、記憶する対象がＵＳＢメモリであることに限定されるものではない。
【００６３】
また、本実施形態の変形例として、画像処理装置１は、課金対象の読取画像データの記憶処理が終了する以前に、操作パネル２１の表示部２１ａにする課金処理の課金処理状況の表示（課金処理中の表示等）を終了しても良い。すなわち、操作パネル２１の表示部２１ａにする課金処理の課金処理状況の表示は、読取画像データの記憶処理の開始から終了までの何れかの期間にされるようにすれば良い。
【００６４】
また、本実施形態では、画像処理装置１が読取処理に関して課金をしている。しかし、本実施形態の変形例として、他の処理、例えば、記憶媒体１００から読み込んだ画像データを編集するような処理に関して課金しても良い。この場合、編集後の画像データを記憶媒体１００に記憶する際に課金処理を実行する。
また、本実施形態の変形例として、記憶媒体に対するデータの送受信を無線により行っても良い。
【００６５】
また、本実施形態の変形例として、課金処理中の報知を音声によって行っても良い。
また、前述のような各種処理を実現可能とするコンピュータの制御プログラムを通信手段により提供することはもちろん、ＣＤ−ＲＯＭ等の記憶媒体に格納して提供しても良い。
【符号の説明】
【００６６】
２１  操作パネル、２１ａ  表示部、２２  課金装置、２３  データ入出力Ｉ／Ｆ、４４  課金処理部、４５  記憶処理部
【図１】
2011205201.tif 000003
【図２】
2011205201.tif 000004
【図３】
2011205201.tif 000005
【図４】
2011205201.tif 000006
【図５】
2011205201.tif 000007